(57)【要約】【課題】壁面に一定の変位を許容しつつ、壁面の過大な変位を防止して非常に安定した補強土構造物を提供する。【解決手段】複数の壁面ブロック１を積層して壁体２を構成し、その背部に礫層３を形成する。礫層３の背部に盛土層４を形成する。盛土層４および礫層３内に金属製補強材５を連続して複数層に埋設し、その端部を壁面ブロック１に定着する。上下に位置する金属製補強材５，５間の礫層３内に合成樹脂製補強材６を複数層に埋設する。合成樹脂製補強材６の端部を金属製補強材５の定着されていない壁面ブロック１に定着する。【選択図】　　　　　　　図１
2004137779.tif 000002
【特許請求の範囲】
【請求項１】
複数の壁面ブロックを積層し、その背部に盛土を充填し、かつ前記盛土内に盛土補強材を複数層に埋設するとともに、前記壁面ブロックに定着してなる補強土構造物において、前記盛土補強材として金属製補強材と面状に形成された合成樹脂製補強材をそれぞれ複数層に埋設し、かつ前記金属製補強材の定着された壁面ブロック間に前記合成樹脂製補強材の定着された壁面ブロックを積層してなることを特徴とする補強土構造物。
【請求項２】
金属製補強材の定着された壁面ブロック間に合成樹脂製補強材の定着された壁面ブロックを複数層に積層してなることを特徴とする請求項１記載の補強土構造物。
【請求項３】
壁面ブロックと盛土との間に礫または砕石を一定厚に充填し、かつ該礫または砕石内に金属製補強材の壁面ブロック側および合成樹脂製補強材をそれぞれ埋設してなることを特徴とする請求項１または２記載の補強土構造物。
【請求項４】
金属製補強材として鋼棒、帯鋼、形鋼、鉄筋グリットまたは金網類を埋設してなることを特徴とする請求項１〜３のいずれかに記載の補強土構造物。
【請求項５】
面状に形成された合成樹脂製補強材としてジオグリッド、ジオテキスタイル、樹脂シートまたは不織布を埋設してなることを特徴とする請求項１〜４のいずれかに記載の補強土構造物。
【発明の詳細な説明】
【０００１】
【発明の属する技術分野】
本願発明は擁壁などとして構築される補強土構造物に関し、特に盛土補強材として金属製補強材と合成樹脂製補強材とを併用することで、壁面に一定の変位を許容しつつ、壁面の過大な変位を防止して非常に安定した補強土構造物を提供するものである。
【０００２】
【従来の技術】
補強土工法として、例えば図２０（ａ）に図示するようにコンクリート製または鋼製の壁面材３０を複数層に積層しつつ、その背部に粗粒土を主とする盛土３１を一定の層厚ごとにまき出し、充分に転圧した後、盛土補強材３２として例えば帯状鋼製材などを一定間隔に埋設し、その端部を壁面材３０に定着して擁壁などの補強土構造物を構築する補強土工法が知られている（特許文献Ｉ参照）。
【０００３】
【特許文献】
特開２０００−０００号
【０００４】
【発明が解決しようとする課題】
本工法においては、盛土補強材３２には引張り、圧縮、曲げおよびせん断の各外力が作用し、主として引張力が作用した場合、その原理から盛土補強材３２に伸びが生じ、その引張力が盛土３１に付与される。このため、盛土補強材３２の伸びが大きすぎると壁面が土圧によって大きく変位する等して美観上からも安定性からも問題があった。
【０００５】
その一方で、壁面材３０の変位を完全に押さえるために壁面を剛体にすると、土圧が非常に大きくなって壁面が破壊しやすくなる。また、盛土補強材３２の剛性が大きくなっても伸びが小さいと壁面に作用する土圧が大きくなって壁面が破壊しやすくなる。このため、壁面に撓み機能を持たせ、ある程度の変位を許容しながらも過大な変位を生じない構造とすることが望ましい。
【０００６】
また、盛土３１が沈下した場合、壁面自体は剛体であるため壁面材３０と盛土３１との間に相対変位が生じる。このため、盛土補強材３２として帯鋼などの金属製補強材が用いられた場合、金属製補強材の曲げ剛性は大きいことから例えば図２０（ｂ）に図示するように、金属製の盛土補強材３２には曲げモーメントＭ１　が発生し、この曲げモーメントＭ１　は盛土補強材３２と壁面材３０との連結部から１ｍ付近までの間において最も集中しやすく、このため壁面材３０が上方に力を受けて変位しやすくなるという問題があった。
【０００７】
本願発明は以上の課題を解決するためになされたもので、特に壁面に一定の変位を許容しつつ、壁面の過大な変位を防止して非常に安定した補強土構造物を提供することを目的とするものである。
【０００８】
【課題を解決するための手段】
請求項１記載の補強土構造物は、複数の壁面ブロックを積層し、その背部に盛土を充填し、前記盛土内に盛土補強材を複数層に埋設し、かつその端部を前記壁面ブロックに定着してなる補強土構造物において、前記盛土補強材として金属製補強材と面状に形成された合成樹脂製補強材をそれぞれ複数層に埋設し、かつ前記金属製補強材の端部が定着された壁面ブロック間に前記合成樹脂製補強材の端部が定着された壁面ブロックを積層してなることを特徴とするものである。
【０００９】
本願発明は、特に金属製補強材の端部が定着された上下の壁面ブロック間に、面状に形成された合成樹脂製補強材の端部が定着された壁面ブロックを積層することで、壁体に大きな土圧が作用した場合、例えば図６（ｂ）に図示するように、上下層に位置する伸びの少ない金属製補強材の定着された壁面ブロックは変位しにくいが、面状に形成された合成樹脂製補強材の定着された壁面ブロックが合成樹脂製補強材の伸びにより変位することで、その背面側にゆるみが生じるため壁面に作用する土圧が低減される。また、伸びの少ない金属製補強材の働きによって壁面全体が大きく変位することもない。
【００１０】
このため、壁面全体の変位は景観上および構造上全く問題にならない許容範囲内にとどまり、また壁面ブロックに作用する土圧も非常に小さいため、壁面ブロックはせいぜい多少の変位にとどまり、したがって壁面ブロックが壁面の外側に完全に押し出されたりせず、また壁体自体が土圧によって大きく変位したり、破壊されるまでには至らず、壁面全体の安定が保たれる。
【００１１】
また、上述した理由により壁体に過大な土圧が作用しにくいことから、壁面材として簡単な材質（例えば比較的低強度の壁面材）からなる壁面材が用いられている場合でも、壁体が過大な土圧を受けて破壊に至ることはない。
【００１２】
また、合成樹脂製補強材としてジオグリッド、ジオテキスタイル、樹脂シートまたは不織布などが用いられていることで、盛土の沈下を防止して盛土全体を水平に保持することができる。また、ジオグリッド等の合成樹脂製補強材と盛土との一体化により、金属製補強材と壁体との連結部にほとんど曲げ応力は発生しない。さらに、合成樹脂製補強材は盛土の変位に追従し、しかも盛土の保持力に非常にすぐれているため、壁面ブロックとして簡単な壁面材を用いても壁体全体が破壊に至ることはない。
【００１３】
請求項２記載の補強土構造物は、請求項１記載の補強土構造物において、金属製補強材の定着された壁面ブロック間に合成樹脂製補強材の定着された壁面ブロックを複数層に積層してなることを特徴とするものである。
【００１４】
本願発明の場合、特に金属製補強材の定着された上下の壁面ブロック間に、面状に形成された合成樹脂製補強材の定着された壁面ブロックを積層し、その積層数を適当に増減することで、壁体に大きな土圧が作用した際の壁面の変位量を調整することができる。
【００１５】
すなわち、面状に形成された合成樹脂製補強材の定着された壁面ブロックの積層数を一段とした場合より複数段とするほうが、壁体全体の剛性が小さくなって変位しやすくなるため過大な土圧を容易に吸収することができる。
【００１６】
請求項３記載の補強土構造物は、請求項１または２記載の補強土構造物において、壁体と盛土との間に礫または砕石を一定厚に充填し、該礫または砕石内に金属製補強材の壁面側および合成樹脂製補強材をそれぞれ埋設してなることを特徴とするものである。
【００１７】
補強土工法において、壁面材として複数の壁面ブロックを積層して構築された壁面は、一般に前方向に撓む性質を有するため、背部に充填された盛土による背面土圧が低減され、水平方向の変位に対し破壊されにくいという利点がある。
【００１８】
しかし、例えば図４（ａ），（ｂ）に図示するように、壁面ブロック１の背部に盛土として砂質土やそれより細粒子の現地発生材を充填した場合、壁面ブロックそのものは剛体であるのに対し、盛土は時間の経過とともに徐々に沈下するため、壁面ブロックと盛土との間に相対変位が生ずる。
【００１９】
このため、盛土内に埋設された盛土補強材が鋼棒などの剛性材である場合、壁面ブロック１近くの２０ｃｍ〜１００ｃｍ位の位置で急角度の大きな曲げモーメントＭ１　が発生しやすいことがわかった。特に盛土補強材として金属製補強材が用いられている場合、或いは盛土補強材が壁面材に金属製連結部材によって定着されている場合、金属製補強材および金属製連結部材は剛性が大きいため曲げ変形による曲げ応力が集中しやすい。
【００２０】
これに対し、例えば図４（ｃ），（ｄ）に図示するように、壁面ブロックの背面側（通常は２０ｃｍ〜１００ｃｍ程度あればよい）に、盛土として沈下しにくいが、ある程度の沈下を許容する砕石または礫を充填すると、盛土の沈下にともなって盛土補強材が変形したとしても、ブロックの直近では殆ど水平を維持し、盛土補強材に発生する曲げモーメントＭ２　は小さく、盛土補強材はゆるやかに変形するのみで、大きな曲げ変形による盛土補強材の応力集中は生じないし、また連結部が破損することもない。
【００２１】
この結果、水平方向および鉛直方向の盛土の変位に対しても金属製の盛土補強材は破壊しにくく、また壁面ブロックが変位しにくい補強土構造物を構築することができる。
【００２２】
また、従来、金属製の盛土補強材は剛性が大きいため、壁面ブロック近くで盛土補強材に作用する曲げ変形が過大になると、壁面ブロックは外側への力を受け、このため盛土補強材の連結されていない壁面ブロックが移動しやすいという課題があった。
【００２３】
また、これまで、金属製の盛土補強材に発生する曲げモーメントは、すべり面付近で最大になると考えられていたが、実際には、例えば図４（ａ），（ｂ）に図示するように、壁面ブロック（壁面）から２０ｃｍ〜１００ｃｍより壁面側の範囲で最大になることがわかった。この曲げモーメントＭ１　を低減するには、例えば図４（ｃ），（ｄ）に図示するように、壁面ブロックからなる壁体の背部に礫や砕石などの粗骨材を一定範囲（壁体背面から２０ｃｍ〜１００ｃｍ程度の範囲）にわたって充填することにより壁体背部の剛性を高くすればよいことがわかった。
【００２４】
そこで、上記した構造とすることにより、壁面が壊れにくく、しかも壁面変位が少ないという長所を有し、しかも盛土の沈下によって盛土補強材の曲げモーメントが過大にならず、小さい値で分布することにより、沈下性の大きい現場発生材を用いても壁面変位が少なく、非常に安定したブロック式補強土構造物を構築することができる。
【００２５】
また、いずれの補強土構造物においても、壁面ブロックとしては、少なくともそのままでも自立できるような形状であれば、特に形状は限定されるものではなく、また金属製補強材としては、帯鋼や形鋼などの鋼材、あるいは鉄筋などの鋼棒や鋼棒を組み合わせた鉄筋メッシュなどを使用することができる。
【００２６】
また、金属製補強材は壁面ブロックの背面部または上端部に直接または定着金具や連結キーなどを介して間接的に連結されていてもよい。
【００２７】
また、壁面ブロックを積層する場合、例えば横方向に隣接する各段の壁面ブロック間の目地部が上下方向に連続しないで左右に交互にずれる、いわゆる「やぶれ目地」となるように、各段の壁面ブロックを積層し、これに伴い各段の壁面ブロックの上端部に突設された突起部が、その上側に積層された壁面ブロック間に設けられた各空洞部とそれぞれ係合することで、上下壁面ブロックどうしを、突起部と空洞部が係合する、いわゆる「インターロッキング方式」によって横ずれしないように、また上下の壁面ブロック層が前後にずれないように接合することができる。
【００２８】
また、盛土補強材の壁面側の端部を壁面ブロックの溝または孔に挿入し、その上に壁面ブロックを重ねることにより盛土補強材の端部をインターロッキングで壁面に定着することがてきる。
【００２９】
このように壁面ブロックどうしを、あるいは壁面ブロックと盛土補強材とをインターロッキングで組み合わせることにより背面土圧や地盤荷重に対してわずかの変位を許容しながら各部材が外れにくい構造となっているため、壁面に対しても、盛土補強材の定着部においても応力が集中しにくく、しかも破壊しにくい構造となる。
【００３０】
請求項４記載の補強土構造物は、請求項１〜３のいずれかに記載の補強土構造物において、金属製補強材として鋼棒、帯鋼、形鋼、鉄筋グリットまたは金網類を埋設してなることを特徴とするものである。
【００３１】
請求項５記載の補強土構造物は、請求項１〜４のいずれかに記載の補強土構造物において、面状に形成された合成樹脂製補強材としてジオグリッド、ジオテキスタイル、樹脂シートまたは不織布を複数層に埋設してなることを特徴とするものである。
【００３２】
【発明の実施の形態】
図１〜図３は、道路や敷地などに面する擁壁として構築された補強土構造物の一例を示し、図において、符号１は擁壁の壁体２を構成すべく複数段に積層されたコンクリート製壁面ブロック（以下「壁面ブロック」という）、３は壁体２の背部に礫または砕石を所定の厚さに充填することにより形成された礫又は砕石の層（以下「礫層」という）、４は礫層３の背部に土砂などの盛土材を充填して形成された盛土層である。
【００３３】
また、符号５は礫層３および盛土層４の安定と強度を高めるとともに壁面ブロック１を固定すべく、盛土層２および礫層３内に盛土補強材として連続して複数層に埋設された金属製補強材、そして符号６は特に、壁面ブロック１を固定し、かつ各壁面ブロック１と礫層３とを一体化させるべく、礫層３内に盛土補強材として複数層に埋設された合成樹脂製補強材、７は金属製補強材５の引き抜きに対する抵抗力を高めるべく、盛土層２内に金属製補強材５のアンカー部材として埋設されたコンクリート支圧ブロック（以下「支圧ブロック」という）である。
【００３４】
壁面ブロック１は、基本的に運搬などの取り扱い易さ、施工性などを考慮して通常、高さｈが２０〜６０ｃｍ、幅ｗが３０〜１００ｃｍ、奥行きｄが２０〜６０ｃｍ程度有し、さらに重さが２０〜１５０Ｋｇ程度の重量に形成され、それ自体自立性を有するものである。
【００３５】
壁面ブロック１は、例えば図３（ａ）に図示するように表面フランジ１ａ、背面フランジ１ｂおよびウェブ１ｃをそれぞれ有し、そのままでもきわめて安定して自立できる平面ほぼＨ形状（または１形状）に一体的に形成されている。
【００３６】
また、表面フランジ１ａとウェブ１ｃの各上端部に定着溝１ｄがそれぞれ形成され、定着溝１ｄは表面フランジ１ａとウェブ１ｃの上端部にそれぞれの長手方向に連続し、かつＴ字状に１本の溝に連続して形成されている。また、ウェブ１ｃの上端部に突起１ｅが形成されている。
【００３７】
さらに、壁面ブロック１として自立性を保ちながら軽量化を図るために、例えば表面フランジ１ａとウェブ１ｂを組み合わせたり、これに背面フランジを設けたり、あるいは中抜きした形状に形成されているものもある。
【００３８】
なお、壁面ブロック１として乾式ブロックを用いることにより、乾式ブロックは即時脱型により一つの型枠で連続的に製造できるため、大量のブロックを短期間に製造できる。また、脱型した直後、柔らかい表面を刃物で割裂して加工することができるため、環境にやさく、しかも自然景観になじみやすい壁面を形成することができる。
【００３９】
図５（ａ）〜（ｉ）は、壁面ブロックの変形例を示し、例えば５（ａ）、（ｅ）、（ｆ）、（ｇ）に図示する壁面ブロックの場合、符号１ｊと１ｋは上下ブロックを重ねて一体化させるためのためのキーとキー孔であるが、このキー１ｊは上述した方法によって乾式ブロックの製造時に直接埋め込むことができ、このキー１ｊとキー孔１ｋとを係合させることで強固なブロック壁体を構築することができる。
【００４０】
また、図５（ｃ）の例では、突起１ｅがキーと同様の効果を有し、また図５（ｈ）の例では、金属製補強材５として設置された鉄筋グリッドの一端がブロック１の定着溝ｄに嵌め込む構造であるが、鉄筋１ｈが埋め込まれていることで、金属製補強材５に大きな引っ張り力が作用しても壁面ブロック１が破壊されることはない。また、符号１ｍは表面フランジ１ａの上端部に形成された客土充填用孔であり、この客土充填用孔１ｍに植裁を施すことにより壁面を緑化することができる。
【００４１】
なお、この場合の壁面ブロックとして、引張力などの外力が作用する領域に鉄筋などの棒状部材を埋め込む代わりに、合成繊維などの補強繊維を混入して成形された乾式ブロックが用いられることある。
【００４２】
図５（ｃ），（ｄ）の例においては、積層された上下壁面ブロックどうしを上下または上下および左右に一体的に連結できるように形成された壁面ブロックを示し、また図５（ｃ）の例の場合、表面フランジ１ａの上端部に連結溝１ｎが形成され、この連結溝１ｎに連結棒８が複数の壁面ブロック１，１間に跨がって挿入されることで横方向に隣接する複数の壁面ブロック１どうしを連結することができる。
【００４３】
なお、図５（ｃ）と図５（ｉ）の例においては、特に連結溝１ｎ内に連結棒８を挿入した後、連結溝１ｎ内に早強セメント等の固結材を充填すれば、壁面ブロック１どうしが一体に連結された壁面を形成することができる。
【００４４】
さらに、図５（ｄ）の例の場合、各壁面ブロック１の表面フランジ１ａの上端部と下端部に互いに嵌合し合う嵌合突起１ｏと嵌合溝１ｐが形成され、この係合突起１ｏと係合溝１ｐが嵌合し合うことで積層された壁面ブロック１どうしが上下および左右に連結されてた壁面を形成することができる。
【００４５】
このように形成された壁面ブロック１は横方向に互いに隣接し、かつ複数段に積層されている。また、必要に応じて例えば図６（ａ）に図示するように各段または数段おきに後退させることにより階段状に積層されている。
【００４６】
この場合、各段の横方向に隣接する壁面ブロック１，１間には双方の表面フランジ１ａと背面フランジ１ｂとウェブ１ｃとからなる空洞部９が形成され、各空洞部９内に砕石や礫、あるいは盛土が充填されていることで、左右および上下の壁面ブロック１，１どうしが一体化されている。
【００４７】
なお、この場合の補強土構造の安定を維持するための壁面ブロック１の大きさと礫層３の厚さと金属製補強材５の連結されている壁面ブロック１と連結されていない壁面ブロック１との関係、および各壁面ブロック１のセットバックの長さの関係の好ましい例を図７と図８にそれぞれ示す。
【００４８】
図において、壁面ブロック１の奥行きをｗ０　、礫層３の厚さをｗ１　、ｗ０　＋ｗ１　＝ｗ、金属製補強材５が連結されている壁面ブロック１の上面と下面の間の高さを△Ｈ、同じくその間のセットバックの量をｗ２　、金属製補強材５が接触または連結された壁面ブロック１，１間にあって、金属製補強材５の接触も連結もしていない壁面ブロック１の数をｍとしたとき、△Ｈ：ｗ２　＝１：０〜Ｈ：ｗ０　，０≦ｍ２　≦２、ただし、ｗ≧４０ｃｍ　ｗ０　≧２０ｃｍ、　ｗ１　≧２０ｃｍであることが本願発明の補強土構造が安定である上で好ましい。
【００４９】
ここで、図７（ｄ）は壁面ブロック１と金属製補強材５の数は１：　１の対応でないから金属製補強材５が連結されていない壁面ブロック１が１層存在している壁面とみなす。また、上記において便宜上金属製補強材５が接触している、連結していないブロックに分けたが、本発明においては盛土補強材が接触している場合と連結していることとは同じとみなす。
【００５０】
また、図７と図８において、金属製補強材５は摩擦力、あるいはインターロッキングにより一体となるため、砕石（または礫）にも破損することなくかつ伸びも殆どないため、壁面ブロック１と礫層３と上下の金属製補強材５，５で囲まれたＡ−Ｂ−Ｄ−Ｃは１つのブロックと類似のように挙動する。
【００５１】
しかし、壁面ブロック１と礫層３との層厚Ｗが盛土層２よりも厚くなると背面土圧や地震動により金属製補強材５の連結されていない壁面ブロック１が外部にすべり出す危険性を生ずる。△Ｈ：ｗ２　＝１：０の場合は直立壁面である。
【００５２】
△Ｈ：ｗ２　＝△Ｈ：ｗ０　の場合はセットバックの最大値である。この場合、礫層３の厚さｗ１　が２０ｃｍ以上あるため、大きなセットバックにもかかわらず、安定を保ち得る。
【００５３】
このため、本願発明の補強材壁は直立から△Ｈ：ｗ０　まで壁面勾配を巾広く設定することができるため、圧迫感がなく景観を考慮した最適の壁面勾配とすることができ、しかも安定した壁面構造の構築が可能になる。なお、△Ｈ：ｗ０　よりも勾配がゆるくなると不安定になる。
【００５４】
金属製補強材５は鉄筋などの鋼棒から形成され、その壁面側の端部（以下、「先端部」という）には壁面ブロック１に定着するための定着部としてＬ形状またはＴ形状のフック５ａが形成され、また支圧ブロック７側の端部（以下「後端部」という）には支圧ブロック７に定着するための定着部としてＬ形状のフック５ｂが形成されている。
【００５５】
このように形成された金属製補強材５は、盛土層２と礫層３内に水平に連続して複数層に埋設され、また金属製補強材５は壁面ブロック１の段数に対して一段おきまたは数段おきに埋設されている。そして、その先端側は、フック５ａを壁面ブロック１の定着溝１ｄ内に挿入することにより壁面ブロック１に定着され、その後端側はフック５ｂを支圧ブロック７の孔７ａに挿入することにより支圧ブロック７に定着されている。
【００５６】
なお、この場合、壁面ブロック１の定着溝１ｄと支圧ブロック７の孔７ａに、フックを挿入した後からその周囲に早強セメントまたは接着材系の固結材１０を充填してもよい。
【００５７】
また特に、金属製補強材５の先端側は、横方向に隣接する複数の壁面ブロック１，１の定着溝１ｄ内にフック５ａを連続して挿入することにより複数の壁面ブロック１，１に定着されている。
【００５８】
金属製補強材５の先端側と後端側が壁面ブロック１と支圧ブロック７に、それぞれこのようにして定着されていることで金属製補強材５のフック５ａと５ｂをそのまま挿入すればよく、従来技術のように定着金具や定着ナットを用いることなく、簡単に定着することができる。また、図示するように壁面ブロック１と支圧ブロック７はともに自立し、しかも金属製補強材５がメジャーの働きをするため、正確な施工が可能となり、変位の少ない補強土壁を構築できるという利点がある。
【００５９】
また、一般にこの種の棒状の金属製補強材には防食用のメッキ処理がなされるため、補強材の端部に壁面材やアンカー材に定着するための定着ナットを螺合するための雄ねじ部が設けられていると、メッキ処理の際に雄ねじ部にメッキが埋まって定着ナットをスムーズに螺合できない場合があるが、本願発明の場合、金属製補強材５の端部に上述するような雄ねじ部が不要なため、上述するような問題は起こらず、施工性に優れたいるのみならず防食性にも優れた補強土構造物を構築することができる。
【００６０】
合成樹脂製補強材６はジオグリッド、ジオテキスタイル、樹脂シートまたは不織布などから一定大きさの面状または帯状に形成され、かつ礫層３内の上下金属製補強材５，５間に複数層に埋設されている。そして、合成樹脂製補強材６の壁面側は金属製補強材５の定着されていない壁面ブロック１に定着されている。
【００６１】
この場合の合成樹脂製補強材６の壁面側の定着方法としては、例えば壁面ブロック１の背面側に定着金具を突設し、これに引っ掛けまたは巻き付ける等して定着してもよく、あるいは上下の壁面ブロック１，１間に単に挟み込む等の方法でもよい。
【００６２】
このような構成において、特に金属製補強材５の定着された上下の壁面ブロック１，１間に、面状に形成された合成樹脂製補強材６の定着された壁面ブロック１が積層されていることで、壁体２に大きな土圧が作用した場合、面状補強材６の連結された壁面ブロック１が面状補強材６の伸びにより変位することで、その背面側にゆるみが生じ、この結果壁体２に加わる土圧が低減される。
【００６３】
このため、いずれの壁面ブロック１も作用する土圧がきわめて小さくなるため、壁面ブロック１はせいぜい多少の変位にとどまり、壁面の外側に完全に押し出されたり、あるいは壁体２自体が土圧によって破壊されるまでには至らず、壁面全体の崩壊が未然に防止される。また、壁面ブロック１が簡単な材質（例えば比較的低強度の壁面材）から形成されている場合でも、壁体２が過大な土圧を受けて壁体自体が破壊することはない。
【００６４】
また、図３（ｃ）の例で明らかな様に、壁体２と盛土層４との間に礫層３が一定厚に形成されていることで、横方向に撓み性を有するため、背面土圧が低減され、かつ水平方向の変位に対し破壊されにくいという利点がある。
【００６５】
一般に、図３（ｄ）に図示するように、壁体２そのものは剛体であるのに対し、その背部に形成された盛土層４は時間の経過とともに沈下するため、壁体２と盛土層４との間に大きな相対変位が生ずる。このため、盛土層４内に埋設された金属製補強材５、あるいは金属製補強材５を壁面ブロック１に連結すべく壁面ブロック１の背部に突設された連結金具（図省略）には、壁面ブロック１近くの背部において、金属製補強材５が下側に大きくたわむような大きな曲げモーメントが発生する。特に金属製補強材５と連結金具が金属製の場合、これらの部材が曲げ変形によって応力集中を受けやすくなる。
【００６６】
これに対し、図３（ｃ）に図示するように壁面ブロック１の背部に、盛土層４より粒子の大きい砕石または礫からなる礫層３が形成され、礫層３は沈下しにくいが、ある程度の変位を許容するので、盛土層４の沈下が原因で、補強材５が変形したとしても壁面ブロック１のごく近くでは、金属製補強材５は殆ど水平性を維持し、金属製補強材５の全体がゆるやかに曲げ変形するのみで、したがって大きな曲げ変形によって金属製補強材５が破壊することはないし、また金属製補強材５と壁面ブロック１との連結部に異常な応力が発生しにくく、連結部が破壊することもない。この結果、水平方向および鉛直方向の盛土層４の変位に対しても金属製補強材５の破壊、破断しにくい補強土構造の構築が可能となる。
【００６７】
図９と図１０に図示する例においても、金属製補強材５は壁面ブロック１と支圧ブロック７に、端部に垂設された先端側のフック５ａと後端側のフック５ｂをそれぞれ壁面ブロック１の定着溝１ｄと支圧ブロック７の定着孔７ａに固結材１０によって定着することに容易に連結することがができる。
【００６８】
なお、図１０（ｃ），（ｄ）はフックのない棒状の金属製補強材５の両端を壁面ブロック１と支圧ブロック７にそれぞれ設けた定着孔１ｒと７ａ内に固結材１０によって定着した例である。
【００６９】
図１１，図１２は補強土構造物の変形例を示し、特に壁面ブロック１に金属製補強材５の先端側のフック５ａを定着する場合の、応力の集中しやすい位置に鉄筋などからなる補強部材１ｈが鉛直または水平に埋設されている。
【００７０】
図１３，図１４は同じく補強土構造物の変形例を示し、特に横方向に隣接する壁面ブロック１，１どうしを連結する連結部材１１の両端のフック１１ａ，１１ａを壁面ブロック１の連結孔１ｑに挿入する場合の、応力の集中しやすい位置に鉄筋などからなる補強部材１ｈが水平に埋設されている。
【００７１】
また、図１４（ｂ）は金属製補強材の変形例を示し、この場合の金属製補強材５は門形状に形成され、先端側の水平部分が一個ないし複数の壁面ブロック１の定着溝１ｄに挿入可能なフック５ａになっている。また、水平部分の両端から延長された直線部分の端部に支圧ブロック７の定着孔７ａに挿入可能なフック５ｂ，５ｂがそれぞれ形成されている。
【００７２】
図１５（ａ）、（ｂ）は、金属製補強材５の先端側のフック５ａを壁面ブロック１に定着する方法の他の例を示し、特に各壁面ブロック１の上端部に定着溝を設ける代わりに、各壁面ブロック１の背面部に鉄筋などからなる輪環１２を突設し、この輪環１２に金属製補強材５の先端側のフック５ａを水平に挿入することで、金属製補強材５の先端側が壁面ブロック１に定着されている。
【００７３】
なお、この場合、金属製補強材５の先端側のフック５ａを壁面ブロック１の上端に形成された定着溝１ｄに挿入してもよい。
【００７４】
図１６（ａ），（ｂ）は、同じく金属製補強材５の先端側を壁面ブロック１に定着する方法の変形例を示し、積層された上下壁面ブロック１、１間にブロック１どうしを連結するための連結部材として連結キー１３が介在され、この連結キー１３に金属製補強材５の先端側に突設された定着金具１４が定着されており、この場合の定着金具１４は定着孔１４ａを有するプレートで、定着孔１４ａを連結キー１３が貫通している。
【００７５】
図１７〜図１９は、特に鉄筋バーや金網材などからなる金属製補強材５、またはジオテキスタイル等からなる合成樹脂製補強材６の端部を壁面ブロック１や支圧ブロック７に定着する定着方法を示したものである。
【００７６】
図１７（ａ），（ｂ），（ｃ）の例においては、壁面ブロック１と支圧ブロック７に連結部材１５としてそれぞれ突設されたボルト部材や帯状鋼材に鉄筋バーや金網材などの金属製補強材５がターンバックル１６やボルト・ナット１７を介して連結されている。
【００７７】
また、図１８（ａ），（ｂ）の例においては、壁面ブロック１に突設された連結部材１８に合成樹脂製補強材６としてとしてジオテキスタイルの端部が直接巻き付けることにより定着されている。
【００７８】
さらに、図１９（ａ），（ｂ），（ｃ）の例においては、壁面ブロック１に形成された定着孔１ｓまたは定着溝１ｔ内に金属製補強材５として鉄筋バーや帯鋼材などの端部が固結材１０によって定着されている。
【００７９】
【発明の効果】
本願発明は以上説明したとおりであり、特に金属製補強材の定着された上下の壁面ブロック間に、面状に形成された合成樹脂製補強材の定着された壁面ブロックが積層されていることで、壁体に大きな土圧が作用した場合、合成樹脂製補強材の定着された壁面ブロックが、合成樹脂製補強材の伸びにより変位することで、その背面側にゆるみが生じ、この結果ブロックに加わる土圧が低減され、しかも、伸びの少ない金属製補強材によって壁面全体の大きな変位は生じない。
【００８０】
このため、いずれの壁面ブロックも作用する土圧がきわめて小さくなるため、壁面ブロックはせいぜい多少の変位にとどまり、壁面の外側に完全に押し出されたり、あるいは壁体自体が土圧によって破壊されるまでには至らず、壁面全体の崩壊が未然に防止される。
【００８１】
また、上記した理由により壁体が過大な土圧を受けにくいことから、壁体が簡単な材質（例えば比較的低強度の壁面材）から形成されている場合でも、壁体が過大な土圧を受けて壁体自体が破壊に至ることはない。
【００８２】
また、壁面ブロックと盛土層との間の一定範囲（通常は壁面ブロック背面から２０ｃｍ〜１００ｃｍまでの厚さあればよい）に盛土として、特に沈下しにくいが、ある程度の沈下を許容する砕石または礫を充填することで、盛土層の沈下にともなって金属製補強材が変形したとしても、壁面ブロックの背部では、金属製補強材は殆ど水平を維持し、変形が非常に小さいので、盛土補強材に発生する曲げモーメントは小さいため、大きな曲げ変形によって盛土補強材が破断したり、壁面ブロックがずれたりする等の問題を未然に防止することができる。
【００８３】
よって、水平方向および鉛直方向の盛土の変位に対しても金属製の盛土補強材は非常に破断しにくく、壁面ブロックの変位のしにくい補強土構造物とすることができる。
【図面の簡単な説明】
【図１】（ａ）は、道路などに面する擁壁として構築された補強土構造物の一例を示す一部斜視図、（ｂ）はその一部断面図である。
【図２】（ａ）、（ｂ）は道路などに面する擁壁として構築された補強土構造物の一例を示す一部断面図である。
【図３】（ａ）は壁面ブロック、支圧ブロックおよび盛土補強材の斜視図、（ｂ）は支圧ブロックの断面図、（ｃ），（ｄ）は補強土構造物の一部断面図である。
【図４】（ａ）〜（ｄ）は、本願発明の原理を示す説明図である。
【図５】（ａ）〜（ｉ）は、壁面ブロックの他の例を示す斜視図である。
【図６】（ａ）、（ｂ）は道路などに面する擁壁として構築された補強土構造物の一例を示す一部断面図である。
【図７】（ａ）〜（ｄ）は、道路などに面する擁壁として構築された補強土構造物の一例を示す一部断面図である。
【図８】（ａ），（ｂ）は、道路などに面する擁壁として構築された補強土構造物の一例を示す一部断面図である。
【図９】（ａ），（ｂ）は、道路などに面する擁壁として構築された補強土構造物の一例を示す一部断面図である。
【図１０】（ａ）は、壁面ブロック、支圧ブロックおよび金属製補強材の斜視図、（ｂ）は金属製補強材の斜視図、（ｃ）は壁面ブロック、支圧ブロックおよび金属製補強材の断面図である。
【図１１】（ａ），（ｂ）は、道路などに面する擁壁として構築された補強土構造物の一例を示す一部断面図である。
【図１２】（ａ）、（ｂ）は壁面ブロックおよび金属製補強材の一部斜視図、（ｃ）は壁面ブロックの縦断面図である。
【図１３】（ａ），（ｂ）は、道路などに面する擁壁として構築された補強土構造物の一例を示す一部断面図である。
【図１４】（ａ）は、壁面ブロック、支圧ブロックおよび金属製補強材の斜視図、（ｂ）は金属製補強材の斜視図である。
【図１５】（ａ），（ｂ）は、道路などに面する擁壁として構築された補強土構造物の一例を示す一部斜視図である。
【図１６】（ａ）は、道路などに面する擁壁として構築された補強土構造物の一例を示す一部断面図、（ｂ）は金属製補強材の斜視図である。
【図１７】（ａ），（ｂ），（ｃ）は、壁面ブロック、支圧ブロックおよび金属製補強材の斜視図である。
【図１８】（ａ）、（ｂ）は、壁面ブロック、合成樹脂製補強材の斜視図である。
【図１９】（ａ）〜（ｃ）は、壁面ブロック、金属製補強材および合成樹脂製補強材の斜視図である。
【図２０】（ａ）、（ｂ）は、道路などに面する擁壁として構築された従来の補強土構造物の一例を示す一部断面図である。
【符号の説明】
１　壁面ブロック
２　壁体
３　礫層（砕石又は礫層）
４　盛土層
５　金属製補強材（盛土補強材）
６　合成樹脂製補強材（盛土補強材）
７　支圧ブロック（コンクリート支圧ブロック）
８　連結棒
９　空洞部
【図１】
2004137779.tif 000003
【図２】
2004137779.tif 000004
【図３】
2004137779.tif 000005
【図４】
2004137779.tif 000006
【図５】
2004137779.tif 000007
【図６】
2004137779.tif 000008
【図７】
2004137779.tif 000009
【図８】
2004137779.tif 000010
【図９】
2004137779.tif 000011
【図１０】
2004137779.tif 000012
【図１１】
2004137779.tif 000013
【図１２】
2004137779.tif 000014
【図１３】
2004137779.tif 000015
【図１４】
2004137779.tif 000016
【図１５】
2004137779.tif 000017
【図１６】
2004137779.tif 000018
【図１７】
2004137779.tif 000019
【図１８】
2004137779.tif 000020
【図１９】
2004137779.tif 000021
【図２０】
2004137779.tif 000022